(57)【要約】【課題】オーバードライブ信号生成回路専用のフレーム情報保持メモリが不要な映像信号処理システムを提供する。【解決手段】映像信号処理システムは、入力映像信号の１フレーム遅延信号Ａと２フレーム遅延信号Ｂを出力するフレーム情報保持メモリＡと、中間フレーム信号を出力する中間フレーム信号生成回路と、中間フレーム補間後の出力映像信号を出力する第１セレクタＡと、オーバードライブ用遅延信号Ｄを出力する第２セレクタＢと、オーバードライブ後、出力映像信号を生成するオーバードライブ信号生成回路とを具備し、オーバードライブ信号生成回路の入力である遅延信号を生成する専用フレーム情報保持メモリを備えることなくオーバードライブに必要なフレーム遅延信号を生成する。【選択図】図３
2008040384.tif 000002
【特許請求の範囲】
【請求項１】
入力映像信号を入力として前記入力映像信号の１フレーム遅延信号Ａと２フレーム遅延信号Ｂを出力するフレーム情報保持メモリＡと、
前記入力映像信号と前記１フレーム遅延信号Ａと２フレーム遅延信号Ｂを入力として前記１フレーム遅延信号Ａと２フレーム遅延信号Ｂの中間フレーム信号を出力する中間フレーム信号生成回路と、
前記１フレーム遅延信号Ａと前記中間フレーム信号を選択して中間フレーム補間後の出力映像信号を出力する第１セレクタＡと、
前記中間フレーム信号と前記２フレーム遅延信号Ｂを選択してオーバードライブ用遅延信号Ｄを出力する第２セレクタＢと、
前記中間フレーム補間後の出力映像信号と前記オーバードライブ用遅延信号Ｄを入力としてオーバードライブ後、出力映像信号を生成するオーバードライブ信号生成回路と
を具備し、
前記オーバードライブ信号生成回路の入力である遅延信号を生成するための専用フレーム情報保持メモリを備えることなくオーバードライブに必要なフレーム遅延信号を生成することを特徴とする映像信号処理システム。
【請求項２】
入力映像信号を入力として前記入力映像信号の１フレーム遅延信号Ａと２フレーム遅延信号Ｂを出力するフレーム情報保持メモリＡと、
前記入力映像信号と前記１フレーム遅延信号Ａと２フレーム遅延信号Ｂを入力として前記１フレーム遅延信号Ａと２フレーム遅延信号Ｂの中間フレーム信号を出力する中間フレーム信号生成回路と、
前記１フレーム遅延信号Ａと前記中間フレーム信号を選択して中間フレーム補間後の出力映像信号を出力する第１セレクタと、
前記中間フレーム信号と前記２フレーム遅延信号Ｂを選択してオーバードライブ用遅延信号Ｄを出力する第２セレクタと、
前記中間フレーム補間後の出力映像信号を表示装置の原色から成る座標へ変換するパネル信号生成回路Ａと、
前記オーバードライブ用遅延信号Ｄを表示装置の原色から成る座標へ変換するパネル信号生成回路Ｂと、
前記パネル信号生成回路Ａの出力と前記パネル信号生成回路Ｂの出力を入力としてオーバードライブ後、出力映像信号を生成するオーバードライブ信号生成回路と
を具備し、
前記オーバードライブ信号生成回路の入力である遅延信号を生成するための専用フレーム情報保持メモリを備えることなくオーバードライブに必要なフレーム遅延信号を生成することを特徴とする映像信号処理システム。
【請求項３】
前記中間フレーム信号生成回路は、入力映像信号の１フレーム相当の期間において中間フレーム信号を２フレーム出力することを特徴とする請求項１又は２に記載の映像信号処理システム。
【請求項４】
前記中間フレーム信号生成回路とオーバードライブ信号生成回路とフレーム情報保持メモリＡが同一ＬＳＩパッケージ内に構成されることを特徴とする請求項１から３のいずれか一項に記載の映像信号処理システム。
【請求項５】
中間フレーム信号生成回路とオーバードライブ信号生成回路とフレーム情報保持メモリＡのうち少なくとも１つは同一ＬＳＩパッケージの外に構成されていて、
異なるＬＳＩパッケージ間の信号が差動伝送方式を含むことを特徴とする請求項１から３のいずれか一項に記載の映像信号処理システム。
【請求項６】
前記２フレーム遅延信号Ｂは、１フレーム遅延信号Ａよりもビット幅が少ないことを特徴とする請求項１から３のいずれか一項に記載の映像信号処理システム。
【請求項７】
請求項１から６のいずれか一項に記載の前記映像信号処理システムと、
前記映像信号処理システムからの出力映像信号によって映像を表示する映像表示部と
を備えたことを特徴とする表示装置。
【請求項８】
請求項１から６のいずれか一項に記載の前記映像信号処理システムと、
前記映像信号処理システムからの出力映像信号によって映像を表示する液晶表示装置と
を備えたことを特徴とする表示装置。
【発明の詳細な説明】
【技術分野】
【０００１】
本発明は、液晶表示装置等のホールド型の電気−光変換特性を有する表示装置と、該表示装置用の映像信号処理システムに関する。
【背景技術】
【０００２】
ホールド型の表示方式はＯＡ機器表示端末のような主に静止画表示用途のディスプレイとしてＣＲＴのインパルス型表示よりもちらつきが少なく目が疲れにくいという利点がある。一方、ＴＶ等において主となる動画表示においては、例えば、人間の視覚特性として通常数１０ミリ秒以内の光刺激がほぼ完全に積分されて知覚される点と、４〜５度／秒以内の動きであれば眼球運動のみで追従できることの二点から、前記のホールド型の表示方式では、動画像が１フレーム中に動く画素数にわたって積分された画像として知覚され、この画像の動きによって生じる積分が画像のぼけを発生させることが報告されている（特許文献１参照。）。
【０００３】
この問題を解決する手段として、動きベクトルを検出してフレームを新たに生成することで高いフレームレートへ変換して表示動画表示する方式が報告されている（特許文献２参照）。
【０００４】
液晶素子の応答速度を改善する既知のオーバードライブ技術と前述のフレーム生成技術を併用することによって相乗効果による動画表示性能の改善を図ることができる。また、液晶表示装置のように前フレームの表示階調に応じて表示特性にヒステリシス特性が現れる他の表示装置においても、表示装置のヒステリシス特性を補償して入力映像信号に応じた階調表現を行なうためにオーバードライブ技術が効果的であり、前述のフレーム生成技術を併用することによって相乗効果による動画表示性能の改善を図ることができる。このようなヒステリシス特性が現れる他の表示装置には、例えば無機ＥＬ表示装置がある。
【０００５】
図１は、従来の実施例における映像信号処理装置の構成を示すブロック図である。従来の表示装置は、図１に示すように、フレーム情報保持メモリＡ（００１）と、中間フレーム信号生成回路（００２）と、セレクタ（００３）と、フレーム情報保持メモリＢ（００４）と、オーバードライブ信号生成回路（００５）とを備える。
【０００６】
従来の映像信号処理装置を構成する各構成部材について説明する。フレーム情報保持メモリＡ（００１）は、入力映像信号を入力として前記入力映像信号の１フレーム遅延信号Ａと前記入力映像信号の２フレーム遅延信号Ｂを出力する。中間フレーム信号生成回路（００２）は、前記入力映像信号と前記１フレーム遅延信号Ａと前記２フレーム遅延信号Ｂを入力として中間フレーム信号を生成する。セレクタ（００３）は、前記中間フレーム信号と前記１フレーム遅延信号Ａを選択して中間フレーム補間後の出力映像信号を出力する。フレーム情報保持メモリＢ（００４）は、前記中間フレーム補間後の出力映像信号を入力として前記中間フレーム補間後の出力映像信号の１フレーム遅延信号であるオーバードライブ用遅延信号Ｃを出力する。オーバードライブ信号生成回路（００５）は、前記中間フレーム補間後の出力映像信号と前記オーバードライブ用遅延信号Ｃを入力としてオーバードライブ後の出力映像信号を出力する。
【０００７】
図２は、従来の映像信号処理装置における信号処理のタイミングチャートである。図１の構成をもつ従来の映像信号処理装置による動作を、図２を用いながら説明する。まず中間フレーム補間後の出力映像信号の生成について説明する。
（ａ）図１の構成によりステート２−１において入力映像信号としてＦ２が、１フレーム遅延信号ＡとしてＦ１が、２フレーム遅延信号ＢとしてＦ０が得られる。
（ｂ）１フレーム遅延信号Ａと２フレーム遅延信号Ｂのフレームレートは入力映像信号のフレームレートの２倍であるようにフレーム情報保持メモリＡから読み出す。
（ｃ）中間フレーム信号生成回路は、Ｆ０に対するＦ１の動きの大きさと方向を示す動きベクトル信号と１フレーム遅延信号Ａと２フレーム遅延信号Ｂにより、中間フレーム信号としてＦ０とＦ１の中間フレームであるＦ０．５を生成し、この中間フレーム信号を中間フレーム補間後の出力映像信号としてセレクタから選択出力する。
（ｄ）次のステート２−２においては１フレーム遅延信号ＡとしてＦ１が得られるので、１フレーム遅延信号Ａを中間フレーム補間後の出力映像信号としてセレクタから選択出力する。なお、ステート２−２においては必ずしも２フレーム遅延信号Ｂと中間フレーム信号を生成する必要はない。
以上の生成動作を入力フレームレートで繰り返すことにより入力映像信号の２倍のフレームレートを持つ中間フレーム補間後の出力映像信号を得ることができる。
【０００８】
次にオーバードライブ後の出力映像信号の生成について説明する。
（１）ステート２−１において中間フレーム補間後の出力映像信号としてＦ０．５と、フレーム情報保持メモリＢによりオーバードライブ用遅延信号ＣとしてＦ０が得られる。
（２）オーバードライブ信号生成回路ではステート２−１で入力されるＦ０とＦ０．５に応じたオーバードライブ後の出力映像信号であるＯＤ＿０．５が出力される。
以上の生成動作を入力フレームレートの２倍のフレームレートで繰り返すことにより入力映像信号の２倍のフレームレートを持つオーバードライブ後の出力映像信号を得ることができる。
【０００９】
【特許文献１】特開平９−３２５７１５
【特許文献２】特開２００１−４２８３１
【特許文献３】特開２００５−９１４５４
【発明の開示】
【発明が解決しようとする課題】
【００１０】
しかしながらオーバードライブ技術とフレーム生成技術は共に入力映像信号とその入力映像信号のフレーム遅延信号が必要とされる。そのため、それぞれ独立にフレーム情報を保持するためのメモリを備えた構成をとる必要があるため、大容量のメモリが必要となり高コストであって、また高速転送可能なメモリ構成が必要となり、さらに一層高コストとなっていた。
【００１１】
コスト削減の１つの提案としてオーバードライブ信号生成回路と中間フレーム信号生成回路でフレームメモリを共用する方法が報告されている（例えば、特許文献３参照。）。しかし、オーバードライブ信号生成回路で必要とするフレーム遅延信号は必ずしも中間フレーム信号生成回路で必要とするフレーム遅延信号と同じ映像信号ではなく、共用するフレームメモリにはオーバードライブ信号生成回路で必要とするフレーム遅延信号が保持されていないことがある。このように従来の提案ではフレームメモリを共用できないタイミングがあるのでオーバードライブ信号生成回路専用にフレーム情報保持メモリを備える必要があった。
【課題を解決するための手段】
【００１２】
上記課題を解決するため、本発明に係る表示装置は、入力映像信号を入力として前記入力映像信号の１フレーム遅延信号と２フレーム遅延信号を出力するフレーム情報保持メモリと、
前記入力映像信号と前記１フレーム遅延信号と２フレーム遅延信号を入力として中間フレーム信号を出力する中間フレーム信号生成回路と、
前記１フレーム遅延信号と前記中間フレーム信号を選択して中間フレーム補間後の出力映像信号を出力する第１セレクタと、
前記中間フレーム信号と前記２フレーム遅延信号を選択してオーバードライブ用遅延信号を出力する第２セレクタと、
前記中間フレーム補間後の出力映像信号と前記オーバードライブ用遅延信号を入力としてオーバードライブ後の出力映像信号を生成するオーバードライブ信号生成回路と
を備えた構成とする。
【００１３】
（作用）
本発明は前記した構成により、フレーム情報保持メモリの低容量化が実現できると共に、必要な転送速度を低くすることができ、安価な表示装置および映像信号処理システムを提供する。
【発明の効果】
【００１４】
以上のように本発明は、中間フレーム信号と中間フレーム信号生成回路の入力である２フレーム遅延信号を選択してオーバードライブ用遅延信号を生成する構成により、フレーム情報保持メモリの低容量化が実現できると共に、必要な転送速度を低くすることができ、安価な表示装置および映像信号処理システムを提供することができ、その実用的効果は大きい。
【発明を実施するための最良の形態】
【００１５】
（実施の形態１）
図３は、本発明の実施の形態１における映像信号補正システムを示す。図３に示すように、この映像信号補正システムは、フレーム情報保持メモリＡ（１０１）と、中間フレーム信号生成回路（１０２）と、第１セレクタＡ（１０３）と、第２セレクタＢ（１０４）と、オーバードライブ信号生成回路（１０５）とを備える。
【００１６】
この映像信号補正システムを構成する各構成部材の機能について以下に説明する。フレーム情報保持メモリＡ（１０１）は、入力映像信号を入力として前記入力映像信号の１フレーム遅延信号Ａと前記入力映像信号の２フレーム遅延信号Ｂを出力する。中間フレーム信号生成回路（１０２）は、前記入力映像信号と前記１フレーム遅延信号Ａと前記２フレーム遅延信号Ｂを入力として中間フレーム信号を生成する。また、第１セレクタＡ（１０３）は、前記中間フレーム信号と前記１フレーム遅延信号Ａを選択して中間フレーム補間後の出力映像信号を出力する。第２セレクタＢ（１０４）は、前記中間フレーム信号と前記２フレーム遅延信号Ｂを選択してオーバードライブ用遅延信号Ｄを出力する。オーバードライブ信号生成回路（１０５）は、前記中間フレーム補間後の出力映像信号と前記オーバードライブ用遅延信号Ｄを入力としてオーバードライブ後の出力映像信号を出力する。
【００１７】
図４は本発明の第１の実施例における信号処理のタイミングチャートである。図４を用いて、図３の構成をもつ第１の実施例の動作を説明する。まず中間フレーム補間後の出力映像信号の生成について説明する。
（ａ）図３の構成によりステート２−１において入力映像信号としてＦ２が、１フレーム遅延信号ＡとしてＦ１が、２フレーム遅延信号ＢとしてＦ０が得られる。
（ｂ）１フレーム遅延信号Ａと２フレーム遅延信号のフレームレートは入力映像信号のフレームレートの２倍であるようにフレーム情報保持メモリＡから読み出す。
（ｃ）中間フレーム信号生成回路は、Ｆ０に対するＦ１の動きの大きさと方向を示す動きベクトル信号と１フレーム遅延信号Ａと２フレーム遅延信号Ｂにより中間フレーム信号としてＦ０とＦ１の中間フレームであるＦ０．５を生成し、この中間フレーム信号を中間フレーム補間後の出力映像信号として第１セレクタＡから選択出力する。
（ｄ）同時に２フレーム遅延信号であるＦ０をオーバードライブ用遅延信号Ｄとして第２セレクタＢから選択出力する。
（ｅ）次のステート２−２においては１フレーム遅延信号ＡとしてＦ１が得られるので、１フレーム遅延信号Ａを中間フレーム補間後の出力映像信号として第１セレクタＡから選択出力する。
（ｆ）ステート２−２においてはステート２−１と同様に２フレーム遅延信号ＢとしてＦ０と中間フレーム信号としてＦ０．５を生成する。同時に中間フレーム信号であるＦ０．５をオーバードライブ用遅延信号Ｄとして第２セレクタＢから選択出力する。
上記の生成動作を入力フレームレートで繰り返すことにより入力映像信号の２倍のフレームレートを持つ中間フレーム補間後の出力映像信号とオーバードライブ用遅延信号Ｄを得ることができる。
【００１８】
次にオーバードライブ後の出力映像信号の生成について説明する。
（ａ）ステート２−１において中間フレーム補間後の出力映像信号としてＦ０．５が、オーバードライブ用遅延信号ＤとしてＦ０が得られる。
（ｂ）オーバードライブ信号生成回路ではステート２−１で入力されるＦ０とＦ０．５に応じたオーバードライブ後の出力映像信号であるＯＤ＿０．５が出力される。
（ｃ）上記の生成動作を入力フレームレートの２倍のフレームレートで繰り返すことにより入力映像信号の２倍のフレームレートを持つオーバードライブ後の出力映像信号を得ることができる。
以上のように本発明の第１の実施例によればオーバードライブ信号生成回路の入力である遅延信号を生成するための専用フレーム情報保持メモリを備えることなくオーバードライブに必要なフレーム遅延信号を生成する表示装置および映像信号処理システムを実現することが可能である。
【００１９】
また、実施の形態１に係る映像信号補正システムと、該映像信号補正システムから出力される出力映像信号によって映像を表示する映像表示部とを備えることによって表示装置を構成することができる。この映像表示部には、例えば、液晶表示装置を用いることができる。
【００２０】
なお、実施の形態１の映像信号処理システムは、図７に示すように、２つの異なるＬＳＩ内に構成されても良い。
【００２１】
（実施の形態２）
図５は、本発明の実施の形態２における映像信号補正システムを示す。図５に示すように、この映像信号補正システムは、フレーム情報保持メモリＡ（２０１）と、中間フレーム信号生成回路（２０２）と、第１セレクタＡ（２０３）と、パネル信号生成回路Ａ（２０４）と、第２セレクタＢ（２０５）と、パネル信号生成回路Ｂ（２０６）と、オーバードライブ信号生成回路（２０７）と備える。
【００２２】
この映像信号補正システムを構成する各構成部材の機能について以下に説明する。フレーム情報保持メモリＡ（２０１）は、入力映像信号を入力として前記入力映像信号の１フレーム遅延信号Ａと前記入力映像信号の２フレーム遅延信号Ｂを出力する。中間フレーム信号生成回路（２０２）は、前記入力映像信号と前記１フレーム遅延信号Ａと前記２フレーム遅延信号Ｂを入力として中間フレーム信号を生成する。第１セレクタＡ（２０３）は、前記中間フレーム信号と前記１フレーム遅延信号Ａを選択して中間フレーム補間後の出力映像信号を出力する。パネル信号生成回路Ａ（２０４）は、前記中間フレーム補間後の出力映像信号を表示装置の原色から成る座標へ変換する。第２セレクタＢ（２０５）は、前記中間フレーム信号と前記２フレーム遅延信号Ｂを選択してオーバードライブ用遅延信号Ｄを出力する。パネル信号生成回路Ｂ（２０６）は、前記オーバードライブ用遅延信号Ｄを表示装置の原色から成る座標へ変換する。オーバードライブ信号生成回路（２０７）は、前記中間フレーム補間後の出力映像信号と前記オーバードライブ用遅延信号Ｄを入力としてオーバードライブ後の出力映像信号を出力する。
【００２３】
図６は、本発明の実施の形態２における信号処理のタイミングチャートである。図５の構成をもつ第２の実施例の動作を、図６を用いながら説明する。
【００２４】
まず中間フレーム補間後の出力映像信号の生成について説明する。
（ａ）図５の構成により、ステート２−１において入力映像信号としてＦ２が、１フレーム遅延信号ＡとしてＦ１が、２フレーム遅延信号ＢとしてＦ０が得られる。
（ｂ）１フレーム遅延信号Ａと２フレーム遅延信号のフレームレートは入力映像信号のフレームレートの２倍であるようにフレーム情報保持メモリＡから読み出す。
（ｃ）中間フレーム信号生成回路は、Ｆ０に対するＦ１の動きの大きさと方向を示す動きベクトル信号と１フレーム遅延信号Ａと２フレーム遅延信号Ｂにより中間フレーム信号としてＦ０とＦ１の中間フレームであるＦ０．５を生成し、この中間フレーム信号を中間フレーム補間後の出力映像信号としてセレクタＡから選択出力する。同時に２フレーム遅延信号であるＦ０をオーバードライブ用遅延信号Ｄとして第２セレクタＢから選択出力する。
（ｄ）次のステート２−２においては１フレーム遅延信号ＡとしてＦ１が得られるので、１フレーム遅延信号Ａを中間フレーム補間後の出力映像信号として第１セレクタＡから選択出力する。
（ｅ）ステート２−２においてはステート２−１と同様に２フレーム遅延信号ＢとしてＦ０と中間フレーム信号としてＦ０．５を生成する。同時に中間フレーム信号であるＦ０．５をオーバードライブ用遅延信号Ｄとして第２セレクタＢから選択出力する。
上記の生成動作を入力フレームレートで繰り返すことにより入力映像信号の２倍のフレームレートを持つ中間フレーム補間後の出力映像信号とオーバードライブ用遅延信号Ｄを得ることができる。この中間フレーム補間後の出力映像信号の生成を、色差映像信号を用いて行なうことによって、高い解像度画質を維持したままで色差信号成分を保持するメモリ容量を、輝度信号成分を保持するメモリ容量より小さくすることができる。
【００２５】
次にオーバードライブ後の出力映像信号の生成について説明する。
（１）ステート２−１において色差映像信号から中間フレーム補間後の出力映像信号として色差映像信号のＦ０．５が、オーバードライブ用遅延信号Ｄとして色差映像信号のＦ０が得られる。
（２）それぞれの色差信号をパネル信号生成回路Ａおよびパネル信号生成回路Ｂによって、パネルの表示単位である原色に変換する。
（３）オーバードライブ信号生成回路ではステート２−１で入力されるパネルの表示単位である原色に変換されたＦ０とパネルの表示単位である原色に変換されたＦ０．５に応じたオーバードライブ後の出力映像信号であるＯＤ＿０．５が出力される。
上記の生成動作を入力フレームレートの２倍のフレームレートで繰り返すことにより、入力映像信号の２倍のフレームレートを持つオーバードライブ後の出力映像信号を得ることができる。
【００２６】
以上のように本発明の第１の実施例によればオーバードライブ信号生成回路の入力である遅延信号を生成するための専用フレーム情報保持メモリを備えることなくオーバードライブに必要なフレーム遅延信号を生成する表示装置および映像信号処理システムを実現することが可能である。
【００２７】
（実施の形態３）
図７は、本発明の実施の形態３における映像信号補正システムを示すブロック図である。図７に示すように、この映像信号補正システムは、フレーム情報保持メモリＡ（３０１）と、中間フレーム信号生成回路（３０２）と、第１セレクタＡ（３０３）と、第２セレクタＢ（３０４）と、オーバードライブ信号生成回路（３０５）と、第１集積回路１（３０６）と、第２集積回路２（３０７）とを備える。
【００２８】
この映像信号補正システムを構成する各構成部材の機能について以下に説明する。フレーム情報保持メモリＡ（３０１）は、入力映像信号を入力として前記入力映像信号の１フレーム遅延信号Ａと前記入力映像信号の２フレーム遅延信号Ｂを出力する。中間フレーム信号生成回路（３０２）は、前記入力映像信号と前記１フレーム遅延信号Ａと前記２フレーム遅延信号Ｂを入力として中間フレーム信号を生成する。第１セレクタＡ（３０３）は、前記中間フレーム信号と前記１フレーム遅延信号Ａを選択して中間フレーム補間後の出力映像信号を出力する。第２セレクタＢ（３０４）は、前記中間フレーム信号と前記２フレーム遅延信号Ｂを選択してオーバードライブ用遅延信号Ｄを出力する。オーバードライブ信号生成回路（３０５）は、前記中間フレーム補間後の出力映像信号と前記オーバードライブ用遅延信号Ｄを入力としてオーバードライブ後の出力映像信号を出力する。第１集積回路１（３０６）は、前記中間フレーム信号生成回路を備える。第２集積回路２（３０７）は、前記オーバードライブ信号生成回路を備える。
【００２９】
なお、本実施の形態３において、第１集積回路１から第２集積回路２へ伝達される中間フレーム補間後の出力映像信号とオーバードライブ用遅延信号Ｄは入力映像信号の２倍のフレームレートであるので、差動伝送方式などの高速伝送方式を用いることで伝送エラーの少ない高品質な伝達方式を用いることができる。
【図面の簡単な説明】
【００３０】
【図１】従来の実施例における構成のブロック図である。
【図２】従来の実施例における信号処理のタイミング図である。
【図３】第１の実施例における構成のブロック図である。
【図４】第１の実施例における信号処理のタイミング図である。
【図５】第２の実施例における構成のブロック図である。
【図６】第２の実施例における信号処理のタイミング図である。
【図７】第３の実施例における構成のブロック図である。
【符号の説明】
【００３１】
００１  フレーム情報保持メモリＡ
００２  中間フレーム信号生成回路
００３  セレクタ
００４  フレーム情報保持メモリＢ
００５  オーバードライブ信号生成回路
１０１  フレーム情報保持メモリＡ
１０２  中間フレーム信号生成回路
１０３  第１セレクタＡ
１０４  第２セレクタＢ
１０５  オーバードライブ信号生成回路
２０１  フレーム情報保持メモリＡ
２０２  中間フレーム信号生成回路
２０３  第１セレクタＡ
２０４  パネル信号生成回路Ａ
２０５  第２セレクタＢ
２０６  パネル信号生成回路Ｂ
２０７  オーバードライブ信号生成回路
３０１  フレーム情報保持メモリＡ
３０２  中間フレーム信号生成回路
３０３  第１セレクタＡ
３０４  第２セレクタＢ
３０５  オーバードライブ信号生成回路
３０６  第１集積回路１
３０７  第２集積回路２
【図１】
2008040384.tif 000003
【図３】
2008040384.tif 000004
【図５】
2008040384.tif 000005
【図７】
2008040384.tif 000006
【図２】
2008040384.tif 000007
【図４】
2008040384.tif 000008
【図６】
2008040384.tif 000009